(57)【要約】【課題】既存の顧客に対するサービスの質を向上させつつ、見込み客の獲得コストを低減することができる。【解決手段】ＳＮＳサーバ１０のデータ記憶部１００内の掲示板データベース１０３には、分譲マンションに関する投稿データとその投稿時間とが保存されている。その投稿データに対する回答データの投稿を受け付けると、アプリケーション部１２０は、元の投稿データの投稿から回答データの投稿までの経過時間（回答待ち時間）を算出し、この回答待ち時間を、回答データと投稿時間とともに掲示板データベース１０３に格納する。参加者のクライアント端末２０Ａ〜２０Ｚから、回答データの閲覧リクエストが発せられると、アプリケーション部１２０は、掲示板データベース１０３から回答データと待ち時間情報とを読み出して、それらを表示させるドキュメントを生成し、Ｗｅｂサーバ部１１０は、このドキュメントを要求発信元に送信する。【選択図】  図１
2008140286.tif 000002
【特許請求の範囲】
【請求項１】
分譲マンションに関する情報の交換を支援する、ソーシャルネットワーキングサービスを用いた分譲マンション販売支援システムであって、
前記情報に関する投稿データの書込み及び当該投稿データに対する返信データの書込みを受け付ける情報処理装置を備え、
当該情報処理装置は、
前記投稿データと当該投稿データの書込み日時との対応情報、および、分譲マンションの取り引き者と各ユーザとの関係を表す関係情報を記憶するデータ記憶手段と、
外部からの閲覧要求に応じて、前記投稿データ及び前記返信データの少なくとも一方を表示させるためのドキュメントを当該要求の発信元に送信する送受信手段と、
前記返信データの書込みを受け付けた場合には、当該返信データの書き込みユーザに対応する関係情報が、前記取り引き者の業務を担当する担当者であることを示していれば、前記投稿データの書込み日時から当該返信データの書込み日時までの経過時間に相当する回答待ち時間情報を算出し、当該回答待ち時間情報を、当該返信データと当該返信データの書込み時間とともに前記記憶手段に格納し、前記返信データの閲覧要求を前記送受信手段が受け付けた場合には、前記データ記憶手段から前記返信データと前記待ち時間情報とを読み出して、前記ドキュメントとして、当該返信データに対応付けて当該待ち時間情報を表示させるドキュメントを生成する演算処理手段と、を備える
ことを特徴とする、ソーシャルネットワーキングサービスを用いた分譲マンション販売支援システム。
【請求項２】
請求項１記載の、ソーシャルネットワーキングサービスを用いた分譲マンション販売支援システムであって、
前記返信データに対する満足度を表す評価情報を前記送受信手段が受け付けた場合には、前記演算処理手段は、前記返信データに対応付けて前記評価情報を前記データ記憶手段に格納し、
前記返信データの閲覧要求を前記送受信手段が受け付けた場合、前記演算処理手段は、前記返信データに対応付けて、当該返信データに対する満足度を表す評価情報を表示させるドキュメントを、前記ドキュメントとして生成する
ことを特徴とする、ソーシャルネットワーキングサービスを用いた分譲マンション販売支援システム。
【請求項３】
請求項１または２記載の、ソーシャルネットワーキングサービスを用いた分譲マンション販売支援システムであって、
前記データ記憶手段には、分譲マンションの既購入ユーザ及び購入見込みユーザのそれぞれについて、ニックネームと、当該ユーザに関連するマンションの識別情報とが格納され、
前記演算処理手段は、前記投稿データの書込みユーザのニックネーム及びマンションの識別情報を前記データ記憶手段から読み出し、前記ドキュメントとして、当該投稿データに対応付けて当該ニックネーム及び当該識別情報を表示させるためのドキュメントを生成する
ことを特徴とする、ソーシャルネットワーキングサービスを用いた分譲マンション販売支援システム。
【請求項４】
請求項１、２及び３のいずれか１項に記載の、ソーシャルネットワーキングサービスを用いた分譲マンション販売支援システムであって、
前記演算処理手段は、前記経過時間が予め定めた時間を越える場合には、前記ドキュメントとして、前記回答待ち時間情報とともに前記投稿データが放置された旨の回答姿勢情報を表示させるドキュメントを生成する
ことを特徴とする、ソーシャルネットワーキングサービスを用いた分譲マンション販売支援システム。
【発明の詳細な説明】
【技術分野】
【０００１】
本発明は、ソーシャルネットワーキングサービスに係り、限定されたユーザに分譲マンションに関する情報交換の場を提供する分譲マンション販売支援システムに関する。
【背景技術】
【０００２】
電子掲示板、ブログ等のインターネットコミュニティには、基本的には、不特定多数の参加が可能である。このため、趣旨に合致しないメッセージの書込み等の妨害行為が継続的に行われ、コミュニティが破壊されることがある。
【０００３】
一方、電子掲示板、ブログ等とは異なり、参加者がお互いにある程度のプロフィールを知っていることが交流の前提となるＷｅｂサイトとして、ソーシャルネットワーキングサービス（ＳＮＳ）が知られている。総務省の定義によれば、このＳＮＳは、「新たな友人関係を広げることを目的に、参加者が互いに友人を紹介し合い、友人の関係、個人の興味・嗜好等を登録していくコミュニティ型のウェブサイト」とされている。
【０００４】
このようなＳＮＳに関連する技術としては、例えば特許文献１記載の技術が知られている。この技術によれば、既存ユーザに招待された新規ユーザがその招待に応じると、招待された新規ユーザにサインアップ画面が提供されるとともに、既存ユーザとその招待に応じた新規ユーザとの関係が「友人」と登録される。このように、新規ユーザには既存ユーザの招待によってのみ参加の機会が与えられるため、参加者の匿名性がある程度排除され、悪意のある書込み等が行われにくいと考えられる。
【特許文献１】米国特許第７０６９３０８号
【発明の開示】
【発明が解決しようとする課題】
【０００５】
ところで、インターネットコミュニティを商用に利用する場合、既存の顧客に対するサービスの質を向上させつつ、見込み客の獲得コストを低減することが望まれる。
【０００６】
そこで、本発明は、既存の顧客との意見交換を通じて、自社のサービスの質を見込み客にアピールすることで、既存の顧客に対するサービスの質を向上させつつ、見込み客の獲得コストを低減することができる不動産販売支援システムを提供することを目的とする。
【課題を解決するための手段】
【０００７】
上記課題を解決するため、本発明は、分譲マンションに関する情報の交換を支援する、ソーシャルネットワーキングサービスを用いた分譲マンション販売支援システムにおいて、ユーザに提供される返信データの掲載ページで、稿データの書込みから返信データの書込みまでの経過時間に相当する回答待ち時間情報を公表する。具体的には、
分譲マンションに関する投稿データの書込み及び当該投稿データに対する返信データの書込みを受け付ける情報処理装置に、
前記投稿データと当該投稿データの書込み日時との対応情報、および、分譲マンションの取り引き者と各ユーザとの関係を表す関係情報を記憶するデータ記憶手段と、
外部からの閲覧要求に応じて、前記投稿データ及び前記返信データの少なくとも一方を表示させるためのドキュメントを当該要求の発信元に送信する送受信手段と、
前記返信データの書込みを受け付けた場合には、当該返信データの書き込みユーザに対応する関係情報が、前記取り引き者の業務を担当する担当者であることを示していれば、前記投稿データの書込み日時から当該返信データの書込み日時までの経過時間に相当する回答待ち時間情報を算出し、当該回答待ち時間情報を、当該返信データと当該返信データの書込み時間とともに前記記憶手段に格納し、前記返信データの閲覧要求を前記送受信手段が受け付けた場合には、前記データ記憶手段から前記返信データと前記待ち時間情報とを読み出して、前記ドキュメントとして、当該返信データに対応付けて当該待ち時間情報を表示させるドキュメントを生成する演算処理手段と、
を設ける。
【発明の効果】
【０００８】
本発明によれば、既存の顧客に対するサービスの質を向上させつつ、見込み客の獲得コストを低減することができる。
【発明を実施するための最良の形態】
【０００９】
以下、添付の図面を参照しながら、本発明に係る実施の一形態について説明する。
【００１０】
まず、本実施の形態に係るソーシャルネットワーキングサービスシステムの全体構成について説明する。ここでは、不動産販売会社または不動産管理会社により運営される分譲マンション販売支援システム、特に、分譲マンションに関する情報交換の場を提供するコミュニティサイトへの適用例を挙げる。
【００１１】
図１に示すように、本分譲マンション販売支援システムは、インターネット等の通信網３０を介して相互に接続された複数の情報処理装置１０,２０Ａ,...,２０Ｍを有している。さらに、ゲートウェイを介してインターネット３０に接続されたＬＡＮ３１側の複数の情報処理装置２０Ｎ,...,２０Ｚを有することもある。なお、これらの情報処理装置１０,２０Ａ,...,２０Ｚは、ＣＰＵが、ハードディスク等の外部記憶装置からメモリにロードしたプログラムを実行可能な通常のコンピュータとしてのハードウエア構成（外部記憶装置、メモリ、ＣＰＵ、キーボード等の入力装置、ディスプレイ等の出力装置、ネットワークインターフェース、等）を備えている。
【００１２】
さて、これら複数の情報処理装置のうち、少なくとも１台の情報処理装置１０は、不動産販売会社の分譲マンション販売担当者または不動産管理会社の分譲マンション管理担当者（以下、担当者）、不動産販売会社が過去に販売した分譲マンションまたは不動産管理会社が管理を請け負う分譲マンションの既購入者（入居者及び未入居者の双方を含む）、及び、不動産販売会社が販売する分譲マンションまたは不動産管理会社が管理を請け負う分譲マンションの購入予定者を対象として、ソーシャルネットワーキングサービス（social networking service：ＳＮＳ）を提供するＷｅｂサーバであるＳＮＳサーバとして機能する。一方、他の情報処理装置２０Ａ〜２０Ｚは、ユーザからの指示に応じてＳＮＳの提供をＳＮＳサーバ１０に要求するＷｅｂクライアントであるＳＮＳクライアントとして機能する。
【００１３】
情報処理装置１０は、インストールされた所定のプログラム（Ｗｅｂサーバプログラム、ＳＮＳサーバプログラム等）の実行により、上述のＳＮＳサーバとしての機能を実現する。すなわち、情報処理装置１０（以下、ＳＮＳサーバ１０）は、マンション既購入者、マンション購入予定者及び担当者を参加者とするＳＮＳの提供に必要なデータが格納されたデータ記憶部１００、クライアント端末上のＷｅｂブラウザからのリクエストに応じてＷｅｂドキュメントを返信するＷｅｂサーバ処理部１１０、Ｗｅｂサーバ処理部１１０からの指示に応じてＳＮＳ用のＷｅｂページを動的に生成するアプリケーション部１２０、を実現する。
【００１４】
一方、その他の情報処理装置２０Ａ,...,２０Ｚは、インストールされた所定のプログラム（Ｗｅｂブラウザプログラム等）の実行により、上述のＳＮＳクライアントとしての機能を実現する。情報処理装置２０Ａ,...,２０Ｚ（以下、クライアント端末２０Ａ,...,２０Ｚ）は、ユーザが指定するＷｅｂドキュメントの送信をＳＮＳサーバ１０等に要求し、返信されたＷｅｂドキュメントが表すＷｅｂページをディスプレイに表示する通常のＷｅｂブラウザであれば、ここで用いるＷｅｂブラウザは、その種類を問われない。
【００１５】
なお、以上の機能構成を実現する各プログラムは、光ディスク等の記憶媒体からハードディスクにインストールされたものであってもよいし、ネットワークを介してハードディスクにインストールされたものであってもよい。
【００１６】
つぎに、ＳＮＳサーバ１０のデータ記憶部１００に格納されたデータについて説明する。
【００１７】
ＳＮＳサーバ１０のデータ記憶部１００には、ユーザ情報データベース１０１、掲示板データベース１０３、Ｗｅｂデータ群１０２、が格納されている。これらのデータの詳細は、以下の通りである。
【００１８】
ユーザ情報データベース１０１には、図２（Ａ）に示すように、ＳＮＳサーバ１０が提供するＳＮＳへの参加者（以下、単に参加者）ごとに、参加者に割り当てられた認証情報（ユーザＩＤ、パスワード）１０１１、参加者から取得されたプロフィール情報１０１２、不動産販売会社または不動産管理会社に対する参加者の関係（マンション既購入者、マンション購入予定者、担当者）を表す関係情報１０１３が登録されている。各プロフィール情報１０１２には、参加者の氏名１０１１Ａ、他の参加者との間で通用するニックネーム１０１１Ｂ、参加者の関連マンション（参加者の購入予定のマンション、参加者が購入したマンション、参加者が担当するマンション）の識別情報（マンション名）１０１１Ｄ、が含まれる。ここで示したプロフィール情報に含まれる情報１０１１Ａ〜１０１１Ｃは一例であり、必要に応じて、例えば、参加者の氏名、顔写真、性別、職業、電子メールアドレス等の他の個人情報をプロフィール情報１０１１に含ませてもよい。
【００１９】
掲示板データベース１０３は、図２（Ｂ）に示すように、互いに関連付けられたオブジェクト１０３１〜１０３３により構成される。掲示板オブジェクト１０３１は、属性として掲示板ＩＤ及び掲示板タイトルを有しており、スレッドオブジェクト１０３２に対して対多の関連付けがなされる。スレッドオブジェクト１０３２は、属性としてスレッドＩＤを有しており、最初の投稿オブジェクト１０３３に対して対１の関連付けがなされる。さらに、投稿オブジェクト１０３３は、属性として、投稿ＩＤ、関係情報、ニックネーム、マンション名、カテゴリ、投稿タイトル、投稿本文、投稿書込み日時、マンション既購入者の回答待ち時間、担当者の対応姿勢を有しており、以降の返信投稿に対応する投稿オブジェクト１０３３に対して再帰的に対多の関連付けがなされる。ただし、回答待ち時間及び対応姿勢には、担当者の返信投稿に対応する投稿オブジェクト１０３３のみ、その値が設定される。
【００２０】
ここで示した各オブジェクト１０３１〜１０３３の属性は一例であり、必要に応じて、その他の属性が各オブジェクト１０３１〜１０３３に付加されてもよい。例えば、大量の投稿を効率的に分類することができるように、話題とする分譲マンションの物理的なデータ（地域、居住階、床面積、間取り）を投稿タイトル１０３３の属性の必須データとした上で、さらに、話題の中心とする領域がマンション内外のいずれの領域（キッズルーム及び集会室等の共用設備、自室、周辺施設、駐車場）であるかを示すサブタイトルを、投稿オブジェクト１０３３の属性として含ませてもよい。
【００２１】
なお、ここでは、不動産販売会社または不動産管理会社と参加者との関係のみ関係情報としてユーザ情報データベース１０１で管理しているが、必要に応じて参加者間の相互の関係も関係情報として管理するようにしてもよい。この場合、参加者相互の関係を表す関係情報を管理するデータベースを別途設けてもよい。
【００２２】
Ｗｅｂデータ群１０２には、クライアント端末上に各種Ｗｅｂページを表示させるためのＷｅｂドキュメントが含まれ、さらに必要に応じて、それらのＷｅｂページに掲載される画像のデータファイルが含まれる。このようなＷｅｂページの具体例としては、分譲マンションに関する詳細情報（例えば、画像・動画、説明文、建築中の物件については、その建築現場のリアルタイム映像）のリスト掲載ページの他、以下の三種類のＷｅｂページ（参加希望者のプロフィール情報の入力を受け付けるプロフィール登録フォーム、参加者の認証情報の入力を受け付けるログインページ、参加者の認証が成功したときにジャンプする会員専用トップページ）が挙げられる。
【００２３】
プロフィール登録フォームには、例えば、図３（Ａ）に示すように、参加希望者のプロフィール情報（参加希望者の氏名、希望ニックネーム、購入予定の分譲マンション名等）の入力を受け付ける入力フィールド３０１、ＳＮＳサーバ１０への新規登録リクエストの送信指示を受け付ける登録ボタン３０２、キャンセルボタン３０３が配置される。
【００２４】
このプロフィール登録フォームのＷｅｂドキュメントのＵＲＬ（Uniform Resource Locator）は、例えば、既存の参加者からの電子メール等によって、新規参加者となるマンション購入予定者に通知される。つまり、担当者、マンション既購入者及びマンション購入予定者のいずれかである既存の参加者による招待を受けた参加希望者のみが参加の機会を得られるため、不特定多数のユーザに参加を許容する場合と比較して、分譲マンションに関する情報交換という趣旨に反する書込み等の抑制が期待できる。
【００２５】
なお、本実施に形態においては、マンション既購入者のプロフィール情報については、担当者が、ＳＮＳへの新規参加を前提として販売契約時にマンション既購入者から収集した顧客情報（氏名、希望ニックネーム、購入マンション名）に基づき新規登録（または、マンション購入予定者からマンション既購入者への変更登録）を行うことにしているため、このプロフィール登録フォームのＵＲＬは、マンション既購入者には通知されない。
【００２６】
ログインページには、図３（Ｂ）に示すように、例えば、ユーザＩＤ及びパスワードの入力を受け付ける入力フィールド３１１、ＳＮＳサーバ１０への認証リクエストの送信指示を受け付けるログインボタン３１２、キャンセルボタン３１３が配置される。なお、このログインページのＷｅｂドキュメントのＵＲＬは、プロフィール情報の登録完了後に、ユーザＩＤ及びパスワードとともに新規参加者に通知される。
【００２７】
会員専用トップページには、図３（Ｃ）に示すように、例えば、分譲マンションリスト掲載ページへのジャンプの指示を受け付ける閲覧ボタン３２１Ａ、分譲マンションに関する情報交換の場を参加者に提供するコミュニティページ（電子掲示板）へのジャンプの指示を受け付ける複数の入室ボタン（ここでは２つの入室ボタン３２１Ｂ,３２１Ｃ）が配置される。
【００２８】
ここで、本実施の形態において準備されるコミュニティページについて説明しておく。
【００２９】
本実施の形態においては、コミュニティページとして、分譲マンションという共通の関心を持つ参加者であれば自由に閲覧及び参加が可能な一般コミュニティページ、マンション購入予定者に一部閲覧のみ許容される、マンション既購入者及び担当者のみ参加可能な特別会員コミュニティページ、が準備されている。
【００３０】
さらに特別会員コミュニティページは、担当者に閲覧及び参加が義務付けられないマンション既購入者専用コミュニティページと、担当者に閲覧及び参加が義務付けられる担当者運営コミュニティページとの２種類に分類されている。
【００３１】
マンション既購入者専用コミュニティページは、マンション既購入者間の交流を主目的とするコミュニティページであり、マンション購入予定者には、参加だけでなく閲覧も許容されていない。これには、例えば、マンション既購入者同士の一般的な生活情報（例えば、居住地域の店舗情報、町内会の連絡事項等）の交換に利用される情報交換ページだけでなく、マンション管理組合の役員選出及び定例会議のような、マンション既購入者に対する透明性の確保が求められる会議に利用される仮想会議室ページを含めることができる。
【００３２】
一方、担当者運営コミュニティページは、マンション既購入者に対するカスタマーサービスの提供を主目的とするコミュニティページであり、マンション購入予定者にも閲覧のみ許容されている。これには、例えば、マンション既購入者の要望及びそれに対する担当者の回答（具体的な対応策を含む）が掲載される要望ページ、マンション既購入者の質問及びそれに対する担当者の回答が掲載される質問ページ、マンション既購入者のクレーム及びそれに対する担当者の回答（具体的な対応策を含む）が掲載されるクレームページが含まれる。
【００３３】
つぎに、ＳＮＳサーバ１０が実行する処理について説明する。
（１）新規参加者の登録処理
図４は、ＳＮＳサーバ１０が提供するＳＮＳへの参加希望者の登録処理のフローチャートである。ここでは、プロフィール登録フォームのＷｅｂドキュメントのＵＲＬが、既存の参加者からの電子メール等によって、クライアント端末２０Ｐのユーザ（参加希望者）にすでに通知されていることとする。
【００３４】
クライアント端末２０Ｐは、入力装置を介して、招待を受けた参加希望者より、通知されたＵＲＬへのアクセス指示を受け付けると、そのＵＲＬが示すＷｅｂドキュメントの送信リクエストをＳＮＳサーバ１０に送信する（Ｓ４００）。ＳＮＳサーバ１０において、Ｗｅｂサーバ処理部１１０は、このリクエストに応じて、プロフィール登録用フォームのＷｅｂドキュメントをデータ記憶部１００から読み出して、このＷｅｂドキュメントを返信する。これにより、クライアント端末２０Ｐのディスプレイ上にはプロフィール登録フォーム（図３（Ａ））が表示される（Ｓ４０１）。
【００３５】
参加希望者が、入力装置を使って、この表示されたプロフィール登録フォームの各入力フィールド３０１にデータ（氏名、参加者間で通用する自己の希望ニックネーム、購入予定の分譲マンション名）を入力し、登録ボタン３０２をクリックすると、クライアント端末２０Ｐは、それらのデータを含む新規登録リクエストを作成し、これをＷｅｂドキュメント内で指定された宛先（ＳＮＳサーバ１０）に送信する。
【００３６】
ＳＮＳサーバ１０において、Ｗｅｂサーバ処理部１１０は、この新規登録リクエストを受け付けると（Ｓ４０２）、それに応じて、アプリケーション部１２０に新規登録処理の実行を指示するとともに、受信したプロフィール情報を渡す。この指示に応じて、アプリケーション部１２０は、ユーザ情報データベース１０１に未登録の認証情報（ユーザＩＤ、パスワード）を、所定の作成ルールにしたがって生成する（Ｓ４０３）。さらに、ユーザ情報データベース１０１内に新規レコードを生成し、この新規レコードに、生成した認証情報、渡されたプロフィール情報、及び、マンション購入予定者であることを示す関係情報を保存する（Ｓ４０４）。
【００３７】
このようにして参加希望者が新規参加者として登録されると、アプリケーション部１２０は、Ｓ４０２で生成した認証情報と、ログインフォーム（図３（Ｂ））のＷｅｂドキュメントのＵＲＬとを含むＷｅｂドキュメントを生成する。そして、Ｗｅｂサーバ処理部１１０が、このＷｅｂドキュメントを返信する（Ｓ４０５）。これにより、クライアント端末２０Ｐのディスプレイ上には、新規参加者に与えられた認証情報とログインフォームのＷｅｂドキュメントのＵＲＬとが表示される。以後、新規参加者は、通知された認証情報及びログインフォームを利用して、ＳＮＳサーバ１０からＳＮＳの提供を受けることができる。
（２）ＳＮＳの提供処理
図５は、参加者に対するＳＮＳの提供処理のフローチャートである。ここでは、参加者が自身のクライアント端末２０Ｑを用いてＳＮＳサーバ１０からＳＮＳの提供を受ける場合を例にとり説明する。
【００３８】
クライアント端末２０Ｑは、入力装置を介して参加者より、ログインフォームのＵＲＬへのアクセス指示を受け付けると、そのＵＲＬが示すＷｅｂドキュメントの送信リクエストをＳＮＳサーバ１０に送信する（Ｓ５００）。ＳＮＳサーバ１０において、Ｗｅｂサーバ処理部１１０は、これに応じて、データ記憶部１００からログインフォームのＷｅｂドキュメントを読み出し、それをクライアント端末２０Ｑに返信する。これにより、クライアント端末２０Ｑ上のディスプレイ上にはログインフォーム（図３（Ｂ））が表示される（Ｓ５０１）。
【００３９】
参加者が、入力装置を使って、この表示されたログインフォームの各入力フィールド５１１に、自身に与えられたユーザＩＤ及びパスワードを入力し、ログインボタン４１２をクリックすると、クライアント端末２０Ｑは、それらのデータを含む認証リクエストを作成し、これを、Ｗｅｂドキュメント内で指定された宛先（ＳＮＳサーバ１０）に送信する（Ｓ５０２）。
【００４０】
ＳＮＳサーバ１０において、Ｗｅｂサーバ処理部１１０は、この認証リクエストを受け付けると、アプリケーション部１２０に認証実行を指示するとともに、受信したユーザＩＤ及びパスワードを渡す。この指示に応じて、アプリケーション部１２０は、渡されたユーザＩＤ及びパスワードの組み合せを、ユーザ情報データベース１０１に登録された認証情報１０１１のなかから検索する（Ｓ５０３）。
【００４１】
その結果、該当する認証情報が存在していなければ（認証失敗）、Ｗｅｂサーバ処理部１１０は、例えば、再ログインを促すメッセージを含むＷｅｂドキュメントを返信する。これにより、クライアント端末２０Ｑのディスプレイ上には、そのメッセージが表示される。
【００４２】
一方、該当する認証情報が存在していれば（認証成功）、アプリケーション部１２０は、その認証情報に対応付けられた関係情報及びプロフィール情報をユーザ情報データベース１０１から読み出すとともに、セッションＩＤを発行して、このセッションＩＤを、ユーザＩＤ、ユーザ情報データベース１０１から読み出した関係情報及びプロフィール情報とともにこれらを対応付けて保存する。そして、Ｗｅｂサーバ処理部１１０は、クライアント端末２０ＱにセッションＩＤを返信するとともに、データ記憶部１００から会員専用トップページのＷｅｂドキュメントを読み出して、このＷｅｂドキュメントをクライアント端末２０Ｑに返信する。これにより、クライアント端末２０Ｑにおいては、セッションＩＤが保存され、さらに、ディスプレイには会員専用トップページ（図３（Ｃ））が表示される。なお、このセッションＩＤは、ＳＮＳサーバ１０が認証処理を介さずに以降の一連のリクエストを処理するために、クライアント端末２０Ｑから以降に発せられる以降のリクエストに付加されるが、そのことは特に記載しない。
【００４３】
以降、参加者は、この会員専用トップページ上のボタンを選択することにより、自身と不動産販売会社等との間の関係に応じた範囲でＳＮＳサーバ１０の機能を利用することができる（Ｓ５０６）。
【００４４】
例えば、参加者が会員専用トップページ上の閲覧ボタン３２１Ａをクリックすると、分譲マンションリスト掲載ページ送信リクエストがＳＮＳサーバ１０に送信される。このリクエストに応じて、Ｗｅｂサーバ処理部１１０は、分譲マンションリスト掲載ページのＷｅｂドキュメント、及び、このページに掲載される画像のデータファイルをクライアント端末２０Ｑに順次返信する。これにより、クライアント端末２０Ｑ上に分譲マンションリスト掲載ページが表示される。マンション購入予定者は、このページの内容の参照により、不動産販売会社等が用意する物件の詳細情報を取得し、それらの物件が自己の希望条件に合致するか否かを検討することができる。
【００４５】
また、参加者が会員専用トップページ上の入室ボタン３２１Ｂをクリックすると、一般コミュニティページの掲示板ＩＤを含む送信リクエストがＳＮＳサーバ１０に送信される。このリクエストに応じて、Ｗｅｂサーバ処理部１１０が、アプリケーション部１２０に一般コミュニティページの生成を指示するとともに、受信した掲示板ＩＤを渡す。これに応じて、アプリケーション部１２０は、その掲示板ＩＤに対応する掲示板オブジェクトの属性値及び関連オブジェクトの属性値を掲示板データベース１０３（図２（Ｂ））から読み出し、それらを用いて一般コミュニティページのＷｅｂドキュメントを生成する。Ｗｅｂサーバ処理部１１０が、このＷｅｂドキュメントをクライアント端末２０Ｑに返信すると、クライアント端末２０Ｑのディスプレイには一般コミュニティページが表示される。
【００４６】
前述したように、この一般コミュニティページは、分譲マンションという共通の関心を持つ参加者であれば自由に閲覧及び参加が可能なページであるため、マンション既購入者及びマンション購入予定者は、この一般コミュニケーションページを利用することによって、分譲マンションに関する自身の経験等をいわゆる口コミ情報として積極的に発信することができる。そして、マンション購入予定者は、この一般コミュニケーションページを利用することによって、分譲マンションリスト掲載ページ上で不動産販売会社側が一方的に発信する情報だけでなく、マンション既購入者または他のマンション購入予定者からの口コミ情報も、分譲マンション購入時の判断材料として用いることができる。
【００４７】
また、参加者が会員専用トップページ上の入室ボタン３２１Ｃをクリックすると、メニューページ送信リクエストがＳＮＳサーバ１０に送信される。ＳＮＳサーバ１０では、Ｗｅｂサーバ処理部１１０が、このリクエストに応じて、アプリケーション部１２０にメニューページ生成を指示し、セッションＩＤを渡すと、アプリケーション部１２０が、渡されたセッションＩＤに対応する関係情報に応じたメニューページのＷｅｂドキュメントを生成する。Ｗｅｂサーバ処理部１１０が、このＷｅｂドキュメントをクライアント端末２０Ｑに返信すると、クライアント端末２０Ｑのディスプレイ上には、参加者と不動産販売会社等との関係に応じたメニューページが表示される。
【００４８】
参加者がマンション既購入者または担当者であれば、ここで表示されるメニューページには、例えば、図７（Ａ）に示すように、すべての特別会員コミュニティページへのジャンプの指示を受け付ける参加ボタン７００,７０１Ａ〜７０１Ｃと、前ページへのジャンプの指示を受け付ける戻るボタン６０２が配置される。これに対して、参加者がマンション購入予定者であれば、ここで表示されるメニューページには、例えば、図７（Ｂ）に示すように、特別会員コミュニティページのうち、担当者運営コミュニティページのジャンプの指示を受け付ける閲覧ボタン７１１Ａ〜７１１Ｃだけが配置され、マンション既購入者専用コミュニティページへのジャンプの指示を受け付ける閲覧ボタンは配置されない。
【００４９】
ここで表示されるメニューページ上の操作に応じて実行される処理は、参加者ごとに異なるため、以下、その処理を参加者ごとに分説する。
（２−１）参加者がマンション既購入者または担当者である場合
図６は、参加者がマンション既購入者または担当者である場合の処理のフローチャートである。ここでは、参加者が自身のクライアント端末２０Ｑに表示されたメニューページを操作する場合を例にとり説明する。
【００５０】
参加者がメニューページ上の参加ボタン６０１Ａ〜６０１Ｃのいずれかをクリックすると、クライアント端末２０Ｑは、そのボタンに対応する掲示板ＩＤを含む参加リクエストを作成し、これをＳＮＳサーバ１０に送信する。
【００５１】
ＳＮＳサーバ１０において、Ｗｅｂサーバ処理部１１０は、このリクエストに応じて、アプリケーション部１２０に担当者運営コミュニティページの生成を指示し、受信した掲示板ＩＤ及びセッションＩＤを渡す（Ｓ６００）。この指示に応じて、アプリケーション部１２０は、渡された掲示板ＩＤに対応する掲示板オブジェクト及び関連オブジェクトの各属性値を掲示板データベース１０３から読み出し、それらの属性値を用いて、渡されたセッションＩＤに対応する関係情報に応じたレイアウトの担当者運営コミュニティページのＷｅｂドキュメントを生成する。そして、Ｗｅｂサーバ処理部１１０は、この作成されたＷｅｂドキュメントをクライアント端末２０Ｑに返信する。これにより、クライアント端末２０Ｑのディスプレイ上には、担当者が選択した担当者運営コミュニティページが表示される（Ｓ６０１）。
【００５２】
この担当者運営コミュニティページには、例えば、図７（Ｃ）に示すように、掲示板タイトル７２０が表示され、スレッドごとに投稿時刻の順にツリー状に並んだ複数の投稿フィールド（ここでは一例として２つの投稿フィールド７２１,７２２）、投稿作成ページへのジャンプの指示を受け付ける投稿ボタン、前ページへのジャンプの指示を受け付ける戻るボタン７２３、が配置される。そして、各投稿フィールド７２１,７２２には、例えば、投稿タイトル、投稿した参加者のニックネーム、投稿した参加者の購入または担当マンション名、投稿時刻等が表示される。
【００５３】
前述したように、話題とする分譲マンションの物理的なデータを投稿タイトル１０３３の属性の必須データとした上、話題の中心とする領域がマンション内外のいずれの領域であるかを示すサブタイトルを投稿オブジェクト１０３３の属性とした場合には、担当者運営コミュニティページに、投稿タイトル及びサブタイトルによる絞込みの指示を受け付けるボタンが配置されていてもよい。この場合には、クライアント端末２０Ｑが、このボタンがクリックされたことを検出すると、掲示板ＩＤ及び参加者指定の絞り込み条件を含む絞り込みリクエストをＳＮＳサーバ１０に投稿作成ページ送信リクエストを送信するようにし、ＳＮＳサーバ１０が、渡された掲示板ＩＤの掲示板オブジェクトに関連する投稿オブジェクトのうち、投稿タイトル等が絞り込み条件を満たしている投稿オブジェクトの各属性値を読み出し、それらの属性値を用いて担当者運営コミュニティページのＷｅｂドキュメントを生成するようにする。これにより、クライアント端末２０Ｑのディスプレイ上には、参加者が指定した絞り込み条件を満たす投稿フィールドのみが掲載された担当者運営コミュニティページが表示される。
【００５４】
ここに新たな投稿を行おうとする参加者（例えばマンション既購入者）は、この投稿ボタン７２３をクリックすればよい。クライアント端末２０Ｑは、投稿ボタン７２３がクリックされたことを検出すると、ＳＮＳサーバ１０に投稿作成ページ送信リクエストを送信する（Ｓ６０２）。
【００５５】
ＳＮＳサーバ１０において、Ｗｅｂサーバ処理部１１０は、このリクエストに応じて、アプリケーション部１２０に投稿作成ページの生成を指示し、セッションＩＤを渡す。これを受けて、アプリケーション部１２０は、投稿作成ページのＷｅｂドキュメントを生成する。そして、Ｗｅｂサーバ処理部１１０が、このＷｅｂドキュメントをクライアント端末２０Ｑに返信する。これにより、クライアント端末２０Ｑのディスプレイ上には投稿作成ページが表示される（Ｓ６０３）。
【００５６】
この投稿作成ページには、図８（Ｂ）に示すように、投稿のタイトル及び本文の入力を受け付ける２つの入力フィールド８１０、投稿の登録指示を受け付ける登録ボタン８１１、キャンセルボタン８１２が配置される。
【００５７】
ここで、参加者（例えばマンション既購入者）が、入力装置を使って、各入力フィールド８１０にデータを入力し、登録ボタン８１０をクリックすると、クライアント端末２０Ｑは、掲示板ＩＤ及び各入力フィールド８１０内のデータ（投稿データ）を含む登録リクエストを作成し、これをＳＮＳサーバ１０に送信する。
【００５８】
ＳＮＳサーバ１０において、Ｗｅｂサーバ処理部１１０は、このリクエストに応じて、アプリケーション部１２０に投稿の登録を指示し、受信した掲示板ＩＤ、セッションＩＤ及び投稿データを渡す（Ｓ６０４）。これに応じて、アプリケーション部１２０は、渡された掲示板ＩＤに対応する掲示板オブジェクトに関連付けられる新たなスレッドオブジェクト及び新たな投稿オブジェクトを生成し、この投稿オブジェクトの属性値として、新たな投稿ＩＤ、渡されたセッションＩＤに対応付けられた関係情報及びプロフィール情報（マンション名及びニックネーム）、投稿タイトル、投稿本文、現在の日時（投稿書込み日時）を保存する（Ｓ６０５）。その後、アプリケーション部１２０が、上述の場合と同様な処理により、最新の担当者運営コミュニティページを生成し、Ｗｅｂサーバ処理部１１０が、このＷｅｂドキュメントをクライアント端末２０Ｑに返信する。これにより、クライアント端末２０Ｑのディスプレイ上には、自身の投稿が追加された最新の担当者運営コミュニティページが表示される。
【００５９】
一方、掲載された投稿を閲覧しようとする参加者（マンション既購入者または担当者）は、いずれかの投稿フィール内の投稿タイトルの文字列をクリックすればよい。クライアント端末２０Ｑは、投稿タイトルの文字列がクリックされたことを検出すると、この投稿タイトルに対応する投稿ＩＤを含む閲覧ページ送信リクエストを作成して、これをＳＮＳサーバ１０に送信する。
【００６０】
ＳＮＳサーバ１０において、Ｗｅｂサーバ処理部１１０は、このリクエストに応じて、アプリケーション部１２０に投稿ページの生成を指示し、受信した投稿ＩＤ及びセッションＩＤを渡す。この指示に応じて、アプリケーション部１２０は、渡された投稿ＩＤに対応する投稿オブジェクトの属性値を掲示板データベース１０３から読み出し、渡されたセッションＩＤに対応する関係情報に応じた閲覧ページのＷｅｂドキュメントを、それらの属性値を用いて生成する。そして、Ｗｅｂサーバ処理部１１０が、このＷｅｂドキュメントをクライアント端末２０Ｑに返信する。これにより、クライアント端末２０Ｑのディスプレイ上には、参加者が選択した投稿の閲覧ページが表示される。
【００６１】
この投稿閲覧ページには、投稿した参加者のニックネーム、投稿した参加者の購入または担当マンション名、投稿タイトル、投稿本文、投稿時刻が表示されるとともに、返信用投稿作成ページへのジャンプの指示を受け付ける返信ボタン、前ページへのジャンプの指示を受け付ける戻るボタンが配置される。このように、投稿閲覧ページには、投稿した参加者のニックネームだけでなく、投稿した参加者の購入マンションが表示されるため、投稿した参加者は、その身近な地域に現在または将来居住する参加者（例えば、同じマンションの居住者または購入予定者）によってある程度特定され得る。このため、趣旨に反する投稿が抑制され、より信憑性の高い情報の投稿が期待される。
【００６２】
ここで、掲載された投稿に対して返信しようとする参加者（例えば、マンション既購入者の投稿に対して回答しようとする担当者）は、返信ボタン８０３をクリックすればよい。クライアント端末２０Ｑは、返信ボタン８０３がクリックされたことを検出すると、対応する投稿ＩＤを含む返信用投稿ページ送信リクエストを作成し、これをＳＮＳサーバ１０に送信する。
【００６３】
ＳＮＳサーバ１０において、Ｗｅｂサーバ処理部１１０は、このリクエストに応じて、アプリケーション部１２０に返信用投稿作成ページの生成を指示するとともに、受信した投稿ＩＤ及びセッションＩＤを渡す(Ｓ６０８)。これに応じて、アプリケーション部１２０が、返信用投稿作成ページのＷｅｂドキュメントを生成し、Ｗｅｂサーバ処理部１１０が、このＷｅｂドキュメントをクライアント端末２０Ｑに返信する。これにより、クライアント端末２０Ｑのディスプレイ上には、前述の投稿作成ページと同様なレイアウトの返信用投稿作成ページが表示される。
【００６４】
参加者が、入力装置を使って、この表示された返信用投稿作成ページにおいて、各入力フィールドにデータ（タイトル、回答）を入力し、登録ボタンをクリックすると、クライアント端末２０Ｑは、返信すべき投稿の投稿ＩＤ及び各入力フィールド内のデータ（投稿データ）を含む登録リクエストを作成し、これをＳＮＳサーバ１０に送信する。
【００６５】
ＳＮＳサーバ１０において、Ｗｅｂサーバ処理部１１０は、このリクエストに応じて、アプリケーション部１２０に投稿の登録を指示するとともに、受信した投稿ＩＤ、セッションＩＤ及び投稿データを渡す。これに応じて、アプリケーション部１２０は、渡されたセッションＩＤに対応する関係情報が担当者を示しているか否かを判断する（Ｓ６０９）。
【００６６】
その結果、関係情報が担当者を示していれば、アプリケーション部１２０は、渡された投稿ＩＤに対応する投稿オブジェクトから投稿書込み日時を読み出し、この投稿書込み日時から現在の日時までの経過時間（マンション既購入者の質問等に担当者が回答するまでの所要時間）を、回答待ち時間として算出する（Ｓ６１０）。
【００６７】
さらに、この回答待ち時間を、あらかじめ定めた基準時間と比較し、その結果、回答待ち時間が基準時間未満であれば、渡された投稿ＩＤに関連付けられる新たな投稿オブジェクトを生成し、その投稿オブジェクトの属性値として、新たな投稿ＩＤ、渡されたセッションＩＤに対応付けられた関係情報及びプロフィール情報（マンション名及びニックネーム）、投稿タイトル、投稿本文、現在の日時（投稿書込み日時）、回答待ち時間を保存する。その他の場合には、同様に新たな投稿オブジェクトを生成し、この投稿オブジェクトの属性値として、新たな投稿ＩＤ、渡されたセッションＩＤに対応付けられた関係情報及びプロフィール情報（マンション名及びニックネーム）、投稿タイトル、投稿本文、現在の日時（投稿書込み日時）、回答待ち時間、及び、放置を表す回答状況を保存する（Ｓ６１１）。なお、ここで用いる基準時間は、例えば、不動産の取引において許容される待ち時間に基づき定められていることが望ましい。
【００６８】
一方、関係情報が担当者を示していなければ、アプリケーション部１２０は、渡された投稿ＩＤに関連付けられる新たな投稿オブジェクトを生成し、その投稿オブジェクトの属性値として、新たな投稿ＩＤ、渡されたセッションＩＤに対応付けられたプロフィール情報（マンション名及びニックネーム）、投稿タイトル、投稿本文、現在の日時（投稿書込み日時）を保存する（Ｓ６１１）。
【００６９】
その後、アプリケーション部１２０が、Ｓ６０１と同様な処理により、最新の担当者運営コミュニティページを生成し、Ｗｅｂサーバ処理部１１０が、このＷｅｂドキュメントをクライアント端末２０Ｑに返信する。これにより、クライアント端末２０Ｑのディスプレイ上には、自身の返信投稿が追加された最新の担当者運営コミュニティページが表示される。
（２−２）参加者がマンション購入予定者である場合
図９は、参加者がマンション購入予定者である場合の処理のフローチャートである。ここでは、参加者が自身のクライアント端末２０Ｑに表示されたメニューページを操作する場合を例にとり説明する。
【００７０】
参加者が、メニューページ上のいずれかの閲覧ボタン７１１Ａ〜７１１Ｃをクリックすると、クライアント端末２０Ｑは、そのボタンに対応する掲示板ＩＤを含む閲覧リクエストを作成し、これをＳＮＳサーバ１０に送信する。ＳＮＳサーバ１０において、Ｗｅｂサーバ処理部１１０は、このリクエストに応じて、アプリケーション部１２０に対して担当者運営コミュニティ閲覧ページの生成を指示するとともに、セッションＩＤ及び掲示板ＩＤを渡す（Ｓ９００）。この指示に応じて、アプリケーション部１２０は、その掲示板ＩＤに対応する掲示板オブジェクトの属性値及び関連オブジェクトの属性値を掲示板データベース１０３（図２（Ｂ））から読み出し、それらを用いて、渡されたセッションＩＤに対応する関係情報に応じたレイアウトの担当者運営コミュニティ閲覧ページのＷｅｂドキュメントを生成する。そして、Ｗｅｂサーバ処理部１１０が、このＷｅｂドキュメントをクライアント端末２０Ｑに返信する。これにより、クライアント端末２０Ｑのディスプレイに、参加者が選択したボタンに対応する担当者運営コミュニティ閲覧ページが表示される（Ｓ９０１）。
【００７１】
この担当者運営コミュニティ閲覧ページには、担当者運営コミュニティページと同様、掲示板タイトルが表示され、スレッドごとに投稿時刻の順にツリー状に並んだ複数の投稿フィールド、前ページへのジャンプの指示を受け付ける戻るボタンが配置される。ただし、購入予定者には担当者運営コミュニティページへの参加が許容されていないため、投稿ボタンは配置されない。
【００７２】
ここで、参加者がいずれかの投稿フィールド内の投稿タイトルの文字列をクリックすると、クライアント端末２０Ｑはこれを検知し、この投稿タイトルに対応する投稿ＩＤを含む投稿閲覧リクエストを作成してＳＮＳサーバ１０に送信する（Ｓ９０２）。
【００７３】
ＳＮＳサーバ１０において、Ｗｅｂサーバ処理部１１０は、このリクエストに応じて、アプリケーション部１２０に投稿閲覧ページの生成を指示するとともに、受信した投稿ＩＤ及びセッションＩＤを渡す。これに応じて、アプリケーション部１２０は、渡された投稿ＩＤに対応する投稿オブジェクトの属性値を掲示板データベース１０３から読み出し、それらの属性値を用いて、渡されたセッションＩＤに対応する関係情報に応じたレイアウトの投稿閲覧ページのＷｅｂドキュメントを生成する。そして、Ｗｅｂサーバ処理部１１０が、このＷｅｂドキュメントをクライアント端末２０Ｑに返信する。これにより、クライアント端末２０Ｑのディスプレイ上には投稿閲覧ページが表示される（Ｓ９０３）。
【００７４】
この投稿閲覧ページには、図８（Ａ）に示すように、投稿した参加者のニックネーム、投稿した参加者の購入または担当マンション名、投稿タイトル、投稿本文、投稿時刻が表示されるとともに、返信用投稿作成ページへのジャンプの指示を受け付ける返信ボタン８０３、前ページへのジャンプの指示を受け付ける戻るボタン８０１が配置される。さらに、担当者の回答については、マンション既購入者の回答待ち時間（マンション既購入者の質問等に担当者が回答するまでの所要時間）が担当者の回答状況８０２として表示される。回答待ち時間の長さによっては、マンション既購入者の回答待ち時間及び担当者の対応姿勢（マンション既購入者の投稿を放置または通常回答した旨の情報）が、担当者の回答状況８０２として表示される。このように、担当者の回答については、その内容とともに、マンション既購入者の回答待ち時間、担当者の対応姿勢が表示されるため、マンション購入予定者は、それらを、不動産販売会社等のカスタマーサービスの質に対する客観的な評価指標のひとつとして用いることができる。
【００７５】
以上述べたように、本実施の形態に係るＳＮＳ提供処理によれば、投稿閲覧ページに、投稿した参加者のニックネームだけでなく、投稿した参加者の購入マンション名が表示されるため、投稿した参加者は、その身近な地域内の参加者（同じマンションの居住者）によってある程度特定され得る。このため、趣旨に反する投稿が抑制され、より信憑性の高い情報の投稿が期待される。
【００７６】
また、マンション既購入者の要望、質問及びクレーム、それに対する担当者の回答を、マンション既購入者だけでなくマンション購入予定者にも公開し、さらに、マンション既購入者に対して担当者が回答するまでの所要時間等を表示するため、マンション購入予定者は、これらの情報に基づき、不動産販売会社等のサービスの質を評価することができる。一方、不動産販売会社等のサービスの質に対する評価は、分譲マンション購入予定者の意思決定に影響を与える材料となり得るため、担当者は、自身のサービスの質の高さをマンション購入予定者にアピールすべく、より充実した内容の回答をより迅速にマンション既購入者に提供するようこころがける。このように、マンション既購入者へのサービスの質の向上が見込み客の獲得につながるため、より質の高いサービスをマンション既購入者に提供しつつ、見込み客の獲得コストを低減することができる。
【００７７】
以上においては、不動産販売会社等のサービスの質の評価指標となるパラメータとして、マンション既購入者の個々の要望等に担当者が回答するまでの所要時間を表示しているが、さらに別の情報を表示するようにしてもよい。例えば、自己または他人の要望等に対する回答の閲覧ページを参照するマンション既購入者に、その回答に対する満足度を入力させるようにして、その満足度が、回答とともに投稿閲覧ページ上に表示されるようにしてもよい。これにより、分譲マンション既購入者の書き込み、それに対する担当者の回答及びその回答姿勢（質問等に対する回答までの時間、質問等の放置の有無）、書き込み者等による担当者の評価という一連の流れの一部始終をマンション購入予定者が閲覧可能となるため、マンション購入者は、それらを総合的に考慮して、不動産販売会社等のサービスの質を評価することができる。
【００７８】
このようにするために、例えば、図８（Ｃ）に示すように、担当者の回答に対する満足度を段階的に表す複数のアイコン（喜怒等の表情の顔アイコン）８０３を投稿閲覧ページ上に配置し、マンション既購入者に、自身の満足度を表すアイコンを選択させる、または、自己の満足度を表す所定の範囲内の数値を入力させるようにしてもよい。ＳＮＳサーバ１０が、選択されたアイコンに対応する数値または入力された数値を、マンション既購入者のユーザＩＤとともに、スレッドオブジェクトに対多に関連するオブジェクトの属性値として保存するようにすればよい。その後に、別の対応策等を提案する、より良い回答がなされたために、マンション既購入者が一連の回答に対する満足度を変える可能性を考慮して、その属性値は更新可能であることが望ましい。
【００７９】
さらに、アプリケーション部１２０が、各担当者または各不動産販売会社等ごとに満足度の平均値を算出し、それを、評価件数とともにＷｅｂページ上で公開するようにしてもよい。これらの情報は、各不動産販売会社等のサービスに対する顧客満足度を表すため、その公表により、マンション購入予定者は、顧客満足度のより高い不動産販売会社等を選択可能となる。その一方で、担当者は、不動産販売会社等に対する顧客満足度を向上させるため、より充実した内容の回答をより迅速にマンション既購入者に提供するようこころがけるため、マンション既購入者は、より質の高いサービスを受けることができる。
【図面の簡単な説明】
【００８０】
【図１】本発明の実施の一形態に係る分譲マンション販売支援システムの全体構成、及び、ＳＮＳサーバの機能構成を示した図である。
【図２】（Ａ）は、本発明の実施の一形態に係るユーザ情報データベースのデータ構造を模式的に示した図であり、（Ｂ）は、本発明の実施の一形態に係る掲示板データのデータ構造を模式的に示した図である。
【図３】（Ａ）は、プロフィール登録フォームのレイアウト例を示した図、（Ｂ）は、ログインページのレイアウト例を示した図、（Ｃ）は、会員専用トップページのレイアウト例を示した図である。
【図４】本発明の実施の一形態に係る新規登録処理のフローチャートである。
【図５】本発明の実施の一形態に係るＳＮＳ提供処理のフローチャートである。
【図６】参加者がマンション既購入者または担当者である場合における図５のＳ５０６の処理を説明するためのフローチャートである。
【図７】（Ａ）は、担当者またはマンション既購入者用のメニューページのレイアウト例を示した図、（Ｂ）は、マンション購入予定者用のメニューページのレイアウト例を示した図、（Ｃ）は、マンション購入予定者用の担当者運営コミュニティページのレイアウト例を示した図である。
【図８】（Ａ）は、担当者またはマンション既購入者用の投稿掲載ページのレイアウト例を示した図、（Ｂ）は、投稿作成ページのレイアウト例を示した図、（Ｃ）は、担当者の回答が掲載された投稿掲載ページのレイアウト例を示した図である。
【図９】参加者がマンション購入予定者である場合における図５のＳ５０６の処理を説明するためのフローチャートである。
【符号の説明】
【００８１】
１０：ＳＮＳサーバ、２０Ａ〜２０Ｚ：クライアント端末、３０〜３１：ネットワーク、１００：データ記憶部、１１０：Ｗｅｂサーバ処理部、１２０：アプリケーション部
【図１】
2008140286.tif 000003
【図２】
2008140286.tif 000004
【図３】
2008140286.tif 000005
【図４】
2008140286.tif 000006
【図５】
2008140286.tif 000007
【図６】
2008140286.tif 000008
【図７】
2008140286.tif 000009
【図８】
2008140286.tif 000010
【図９】
2008140286.tif 000011